(57)【要約】【課題】書類を脱落しないように確実に保持できる書類ホルダ付き包装箱を提供する。【解決手段】側壁１から延びるフラップ４に切込６を入れて書類ホルダ７を設けた包装箱において、前記切込６に、フラップ４の先端から基端側へ向かう先切部６ａと、先切部６ａの終端から屈曲部を介して側方へ向かう中切部６ｂと、中切部６ｂの終端から屈曲部を介してフラップ４の基端側へ向かう奥切部６ｃとを連続して設け、書類ホルダ７を、先切部６ａと中切部６ｂとが隅をなす上保持片７ａと、中切部６ｂと奥切部６ｃとが隅をなす下保持片７ｂとから形成し、上保持片７ａと下保持片７ｂとを離反方向に撓ませて、その間に生じた隙間に書類Ｗを挿し込み、上保持片７ａと下保持片７ｂの弾性による復元に伴い、書類Ｗを挟み付けて保持する。【選択図】図４
2010006473.tif 000002
【特許請求の範囲】
【請求項１】
側壁(1)から延びるフラップ(4)に切込(6)を入れて書類ホルダ(7)を設けた包装箱において、前記切込(6)に、フラップ(4)の端縁から切れ込む先切部(6a)と、先切部(6a)の終端から屈曲部を介して切れ込む中切部(6b)と、中切部(6b)の終端から屈曲部を介して切れ込む奥切部(6c)とを連続して設け、前記書類ホルダ(7)を、先切部(6a)と中切部(6b)とが隅をなす上保持片(7a)と、中切部(6b)と奥切部(6c)とが隅をなす下保持片(7b)とから形成し、上保持片(7a)と下保持片(7b)とを離反方向に撓ませて、その間に生じた隙間に書類を挿し込み、上保持片(7a)と下保持片(7b)の弾性による復元に伴い、書類を挟み付けて保持することを特徴とする書類ホルダ付き包装箱。
【請求項２】
請求項１に記載の書類ホルダ付き包装箱において、前記切込(6)の先切部(6a)がフラップ(4)の先端から基端側へ向かい、中切部(6b)が先切部(6a)の終端から側方へ向かい、奥切部(6c)が中切部(6b)の終端からフラップ(4)の基端側へ向かうことを特徴とする書類ホルダ付き包装箱。
【請求項３】
請求項２に記載の書類ホルダ付き包装箱において、前記切込(6)の中切部(6b)を、奥切部(6c)側がフラップ(4)の基端から離れ、先切部(6a)側がフラップ(4)の基端に近づくように傾斜させたことを特徴とする書類ホルダ付き包装箱。
【請求項４】
請求項１に記載の書類ホルダ付き包装箱において、前記切込(6)の先切部(6a)がフラップ(4)の側端から内側へ向かうと共に、その終端から屈曲部を介してフラップ(4)の先端側へ向かい、中切部(6b)が先切部(6a)の終端からフラップ(4)の内側へ向かい、奥切部(6c)が中切部(6b)の終端からフラップ(4)の基端側へ向かうようにしたことを特徴とする書類ホルダ付き包装箱。
【発明の詳細な説明】
【技術分野】
【０００１】
この発明は、例えば、家電製品の梱包に際し、保証書等の書類を保持する書類ホルダを設けた包装箱に関するものである。
【背景技術】
【０００２】
従来、下記特許文献１には、図１４に示すように、側壁５１の上端から延びるフラップ５２に、その一側端から２本の切込５３を入れて保持片５４を形成し、これを書類ホルダとして、保持片５４の揺動に伴い、切込５３間に保証書等の書類Ｗを挟み込んで保持する包装箱が記載されている。
【先行技術文献】
【特許文献】
【０００３】
【特許文献１】実開昭５７−１０５２１９号公報
【発明の概要】
【発明が解決しようとする課題】
【０００４】
しかしながら、上記のような書類ホルダでは、フラップ５２を起立させた状態で書類Ｗを挿着する際、保持片５４が基端部で折れ曲がって先端側で開いたままとなり、書類Ｗが脱落することがあった。
【０００５】
そこで、この発明は、書類を脱落しないように確実に保持できる書類ホルダを備えた包装箱を提供することを課題とする。
【課題を解決するための手段】
【０００６】
上記課題を解決するため、この発明では、側壁から延びるフラップに切込を入れて書類ホルダを設けた包装箱において、前記切込に、フラップの端縁から切れ込む先切部と、先切部の終端から屈曲部を介して切れ込む中切部と、中切部の終端から屈曲部を介して切れ込む奥切部とを連続して設け、前記書類ホルダを、先切部と中切部とが隅をなす上保持片と、中切部と奥切部とが隅をなす下保持片とから形成し、上保持片と下保持片とを離反方向に撓ませて、その間に生じた隙間に書類を挿し込み、上保持片と下保持片の弾性による復元に伴い、書類を挟み付けて保持することとしたのである。
【０００７】
具体的には、前記切込の先切部がフラップの先端から基端側へ向かい、中切部が先切部の終端から側方へ向かい、奥切部が中切部の終端からフラップの基端側へ向かうようにしたのである。
【０００８】
この場合、前記切込の中切部を、奥切部側がフラップの基端から離れ、先切部側がフラップの基端に近づくように傾斜させると、上保持片と下保持片との間に生じる隙間が中切部の両端間に亘って均等になり、挟持力の不均等に起因する書類の回転を防止できる。
【０００９】
また、前記切込の構成に代えて、切込の先切部がフラップの側端から内側へ向かうと共に、その終端から屈曲部を介してフラップの先端側へ向かい、中切部が先切部の終端からフラップの内側へ向かい、奥切部が中切部の終端からフラップの基端側へ向かうようにしてもよい。
【発明の効果】
【００１０】
このような包装箱では、書類を挿着する際、上保持片と下保持片とが中切部に沿って幅広く離反するので、上保持片及び下保持片を基端部で弾性限界を超えて折り曲げる必要がなく、書類を弾性により強く挟み付けて、脱落しないように保持することができる。
【図面の簡単な説明】
【００１１】
【図１】この発明に係る書類ホルダ付き包装箱の第１実施形態のブランクを示す図
【図２】同上の組立過程を示す斜視図
【図３】同上の書類ホルダへの書類挿着過程を示す部分拡大斜視図
【図４】同上の書類ホルダへの書類挿着状態を示す部分拡大斜視図
【図５】同上の書類を挿着した梱包状態を示す斜視図
【図６】同上の書類ホルダの拡大図
【図７】同上の書類ホルダの変形例を示す拡大図
【図８】この発明に係る書類ホルダ付き包装箱の第２実施形態のブランクを示す図
【図９】同上の組立過程を示す斜視図
【図１０】同上の書類ホルダへの書類挿着過程を示す部分拡大斜視図
【図１１】同上の書類ホルダへの書類挿着状態を示す部分拡大斜視図
【図１２】同上の書類を挿着した梱包状態を示す斜視図
【図１３】同上の書類ホルダの拡大図
【図１４】従来の書類ホルダ付き包装箱の部分拡大斜視図
【発明を実施するための形態】
【００１２】
まず、この発明の第１実施形態を図１乃至図７に基づいて説明する。
【００１３】
この書類ホルダ付き包装箱は、図１に示す段ボールのブランクから形成される。このブランクでは、狭幅の側壁１と広幅の側壁２とが各一対交互に連設され、端寄りの側壁２の外側には継代片３が連設されている。側壁１の上下端にはフラップ４が、側壁２の上下端にはフラップ５がそれぞれ連設されている。
【００１４】
一対の側壁２に挟まれた側壁１の上方のフラップ４には、一側寄りに切込６を入れて書類ホルダ７が設けられ、これに隣接するフラップ５の一側部分には、ミシン目状の断続切目をハ字状に入れて、切起片８が設けられている。また、他の上方のフラップ５には、コ字状の切目線を入れて、取手９が形成されている。
【００１５】
切込６には、図６に示すように、フラップ４の先端から基端側へ向かう先切部６ａと、先切部６ａの終端から屈曲部を介して側方へ向かう中切部６ｂと、中切部６ｂの終端から屈曲部を介してフラップ４の基端側へ向かう奥切部６ｃとが連続して設けられている。
【００１６】
先切部６ａは、書類を挿し込みやすくするため、フラップ４の先端へかけて一側方向へ幅が広くなる切溝とされており、奥切部６ｃは、フラップ４の基端側が中切部６ｂへ向けて丸められ、これにより裂け止めされている。
【００１７】
また、中切部６ｂは、奥切部６ｃ側がフラップ４の基端から離れ、先切部６ａ側がフラップ４の基端に近づくように傾斜している。
【００１８】
そして、前記書類ホルダ７は、先切部６ａと中切部６ｂとが隅をなす上保持片７ａと、中切部６ｂと奥切部６ｃとが隅をなす下保持片７ｂとから形成されている。
【００１９】
このようなブランクを組み立てて、電気掃除機等の商品を梱包する際には、図２に示すように、各一対の側壁１，２を四角筒状に折り曲げ、継代片３を反対側の側壁１に貼り付け、下方のフラップ４，５を順次内側へ折り曲げて、底面を閉止する。そして、上方のフラップ４，５が起立して天面が開口した状態で、箱内に商品を収納する。
【００２０】
次に、図３に示すように、上保持片７ａと下保持片７ｂとを離反方向に撓ませて、図４に示すように、その間に生じた隙間に保証書やサービス案内等の書類Ｗを挿し込み、上保持片７ａと下保持片７ｂの弾性による復元に伴い、書類Ｗを挟み付けて保持する。
【００２１】
このように書類Ｗを挿着する際、上記包装箱では、上保持片７ａと下保持片７ｂとが中切部６ｂに沿って幅広く離反するので、上保持片７ａ及び下保持片７ｂを基端部で弾性限界を超えて折り曲げる必要がなく、書類Ｗを弾性により強く挟み付けて、脱落しないように保持することができる。
【００２２】
また、中切部６ｂの傾斜により、上保持片７ａと下保持片７ｂの中切部６ｂに沿った方向における揺動量の差が相殺されて、上保持片７ａと下保持片７ｂとの間に生じる隙間が中切部６ｂの両端間に亘ってほぼ均等になるので、挟持力の不均等に起因して、下保持片７ｂの基端側を中心に書類Ｗが回転する現象を防止することができる。
【００２３】
なお、書類Ｗが薄く、上保持片７ａと下保持片７ｂとをあまり撓ませる必要がない場合には、図７に示すように、中切部６ｂをフラップ４の基端に対して平行にしても、書類Ｗが回転しながら脱落するようなことはない。
【００２４】
上記のように書類Ｗを挿着した後、図５に示すように、上方のフラップ４，５を順次内側へ折り曲げ、粘着テープ等で天面を閉止すると、書類Ｗは、フラップ５に覆われて、輸送時や保管時における亡失が防止される。
【００２５】
そして、電気店等の店頭において、保証書に捺印する必要がある場合には、切起片８の両側の切目の繋部を切断しつつ、切起片８を引き起こすと、開梱することなく、切起片８の抜出跡から書類Ｗを摘んで引き出すことができる。
【００２６】
次に、この発明の第２実施形態を図８乃至図１３に基づいて説明する。
【００２７】
この書類ホルダ付き包装箱は、図８に示す段ボールのブランクから形成される。このブランクにおいても、狭幅の側壁１と広幅の側壁２とが各一対交互に連設され、端寄りの側壁２の外側には継代片３が連設されている。側壁１の上下端にはフラップ４が、側壁２の上下端にはフラップ５がそれぞれ連設されている。
【００２８】
一対の側壁２に挟まれた側壁１の上方のフラップ４には、一側寄りに切込６を入れて書類ホルダ７が設けられ、これに隣接するフラップ５の一側部分には、ミシン目状の断続切目を平行に入れて、切起片８が設けられている。また、一対の側壁１には、長円状の切目線を入れて、取手９が形成されている。
【００２９】
切込６には、図１３に示すように、フラップ４の側端から内側へ向かうと共に、その終端から屈曲部を介してフラップ４の先端側へ向かう先切部６ａと、先切部６ａの終端から屈曲部を介してフラップ４の内側へ向かう中切部６ｂと、中切部６ｂの終端から屈曲部を介してフラップ４の基端側へ向かう奥切部６ｃとが連続して設けられている。
【００３０】
中切部６ｂは、フラップ４の先端側へ円弧状に湾曲しており、奥切部６ｃは、フラップ４の基端側が外側へ向けて丸められ、これにより裂け止めされている。また、先切部６ａ及び中切部６ｂには、閉蓋時の強度維持のため、繋部が設けられている。
【００３１】
そして、前記書類ホルダ７は、先切部６ａと中切部６ｂとが隅をなす上保持片７ａと、中切部６ｂと奥切部６ｃとが隅をなす下保持片７ｂとから形成され、先切部６ａの屈曲部により、上保持片７ａの外端部分に突起１０が形成されている。
【００３２】
このようなブランクを組み立てて、電気掃除機等の商品を梱包する際には、図９に示すように、各一対の側壁１，２を四角筒状に折り曲げ、継代片３を反対側の側壁１に貼り付け、下方のフラップ４，５を順次内側へ折り曲げて、底面を閉止する。そして、上方のフラップ４，５が起立して天面が開口した状態で、箱内に商品を収納する。
【００３３】
次に、先切部６ａ及び中切部６ｂの繋部を切断し、図１０に示すように、上保持片７ａと下保持片７ｂとを離反方向に撓ませて、図１１に示すように、その間に生じた隙間に保証書やサービス案内等の書類Ｗを挿し込み、上保持片７ａと下保持片７ｂの弾性による復元に伴い、書類Ｗを挟み付けて保持する。
【００３４】
このように書類Ｗを挿着する際、上記包装箱では、上保持片７ａと下保持片７ｂとが中切部６ｂに沿って幅広く離反するので、上保持片７ａ及び下保持片７ｂを基端部で弾性限界を超えて折り曲げる必要がなく、書類Ｗを弾性により強く挟み付けて、脱落しないように保持することができる。
【００３５】
また、上保持片７ａの外端部分に突起１０が形成されているので、上保持片７ａと下保持片７ｂの隙間からの書類Ｗの抜け出しが防止される。
【００３６】
さらに、中切部６ｂが湾曲しているので、上保持片７ａが根元部分で折れ曲がってしまう現象が防止されるほか、中切部６ｂの全長に亘って、上保持片７ａと下保持片７ｂにより書類Ｗを均等に抑えることができる。
【００３７】
上記のように書類Ｗを挿着した後、図１２に示すように、上方のフラップ４，５を順次内側へ折り曲げ、粘着テープ等で天面を閉止すると、書類Ｗは、フラップ５に覆われて、輸送時や保管時における亡失が防止される。
【００３８】
そして、電気店等の店頭において、保証書に捺印する必要がある場合には、切起片８の両側の切目の繋部を切断しつつ、切起片８を引き起こすと、開梱することなく、切起片８の抜出跡から書類Ｗを摘んで引き出すことができる。
【符号の説明】
【００３９】
１，２  側壁
３  継代片
４，５  フラップ
６  切込
６ａ  先切部
６ｂ  中切部
６ｃ  奥切部
７  書類ホルダ
７ａ  上保持片
７ｂ  下保持片
８  切起片
９  取手
１０  突起
【図１】
2010006473.tif 000003
【図２】
2010006473.tif 000004
【図３】
2010006473.tif 000005
【図４】
2010006473.tif 000006
【図５】
2010006473.tif 000007
【図６】
2010006473.tif 000008
【図７】
2010006473.tif 000009
【図８】
2010006473.tif 000010
【図９】
2010006473.tif 000011
【図１０】
2010006473.tif 000012
【図１１】
2010006473.tif 000013
【図１２】
2010006473.tif 000014
【図１３】
2010006473.tif 000015
【図１４】
2010006473.tif 000016